(57)【要約】【課題】  解体が行い易くかつ解体後のリユースが可能なシステム天井を提供する。【解決手段】  それぞれ吊りボルト２に野縁受け４を介して取付けられた複数本の平行な軽鉄製の野縁６と、これらの野縁６のうちのいずれか複数本の野縁６にそれぞれ取付けられる天井受け金物７とを有する。天井受け金物７は、野縁６に取付ける野縁取付部７ｂを上部に有し、下部に野縁６の両側方へ延びる天井材受け片７ａａを有する。この天井受け金物７の天井材受け片７ａａに、天井材８の両端部を載置する。天井材８は、野縁６の長さ方向の一部、例えば天井材８の両端で、ねじ等の固着具９により野縁６に固着する。天井受け金物７には、化粧用のジョイナー１０を取付けるようにしても良い。このジョイナー１０は、隣合う天井材８の縁部の下面を覆うカバー部１０ｂ、およびこのカバー部１０ｂから上方に延びて天井受け金物７のハット形部７ａの立て片部分７ａｃ間に差し込み状態に取付けられる差し込み片１０ａを有する。【選択図】        図１
2008163635.tif 000002
【特許請求の範囲】
【請求項１】
それぞれ吊りボルトに野縁受けを介して取付けられた複数本の平行な軽鉄製の野縁と、これらの野縁のうちのいずれか複数本の野縁にそれぞれ取付けられ、上部に前記野縁に取付ける野縁取付部を有し下部に野縁の両側方へ延びる天井材受け片を有する複数の天井受け金物と、互いに離れた野縁における野縁離れ方向に隣合う天井受け金物の前記天井材受け片に両端部が載置された天井材と、野縁の長さ方向の一部で前記天井材を前記野縁に固着した固着具とを備えたシステム天井。
【請求項２】
請求項１において、前記野縁が上向きに開口するリップ溝形でかつ両側のリップ部の先端から立ち下がる一対の開口立下がり片を有する断面形状であり、
前記天井受け金物は、前記野縁の側面に沿って配置されて野縁の長さ方向に見た形状がハット形となり、その横片部分が前記天井材受け片となるハット形部と、このハット形部の上方に続く前記野縁取付部とでなり、この野縁取付部は、前記ハット形部から上方に続く立ち片とこの立ち片の上端から一側方へ折れ曲がって延びて前記野縁の上面に載せられる水平取付片と、この水平取付片に対して別の部材として設けられて前記野縁の前記両リップ部の開口立下がり片に渡って下面に係合する係止片と、この係止片を前記水平取付片に取付ける係止片固定部材とでなるシステム天井。
【請求項３】
請求項２において、前記天井受け金物が、野縁の長さ方向に離れて設けられたものであり、天井材の縁部に沿って延びて隣合う天井材の縁部の下面を覆うカバー部およびこのカバー部から上方に延びて前記天井受け金物のハット形部の立て片部分間に差し込み状態に取付けられる差し込み片を有するジョイナーを設けたシステム天井。
【請求項４】
請求項２において、前記天井受け金物が、野縁の長さ方向に沿って設けられる形状の長尺物であるシステム天井。
【発明の詳細な説明】
【技術分野】
【０００１】
この発明は、軽鉄下地のシステム天井に関し、特に、構造が簡単で、解体が行い易く天井材等のリユースが可能なシステム天井に関する。
【背景技術】
【０００２】
従来、一般的な軽鉄下地の天井は、天井梁や天井躯体に取付けられた吊木受けに吊りボルトを取付けて垂下させ、この吊りボルトにハンガー、および野縁受け等を介して軽鉄製野縁を支持して天井下地を形成し、この天井下地となる野縁に天井材をビス止めすることにより構成していた。このような天井構造においては、天井材がビス止めされているので、解体の際は時間を要する。また、天井材は、例えば、３０３ｍｍピッチに施工された野縁に対して少なくとも３箇所ビス止めする必要があり、ビス止めのピッチは１００〜１５０ｍｍであるから、９００ｍｍ角の天井材で１枚あたり約２５本必要となる。このように、多数のビス止めが基本となるため、天井材および野縁に多くのビス孔が形成されることになり、解体後これらをリユース、つまり再利用することは困難であった。さらに、天井材を野縁に直接ビス止めするから、野縁の施工は、シングル材と、隣合う天井材の端部ではダブル材が位置するよう、これらを順番に行う必要があった。特許文献１および特許文献２には、天井材がリユース可能な天井構造が開示されている。
【特許文献１】特開２０００−９６７６２号公報
【特許文献２】特開２０００−９６７６３号公報
【発明の開示】
【発明が解決しようとする課題】
【０００３】
上記各特許文献に開示された天井構造は、天井材がビス止めによることなく取付けられるから、現場施工が簡単である上に、解体作業が簡素化され、さらに解体後の天井材のリユースが可能とされるから、省資源化に大きく寄与するものである。しかし、野縁受けおよび野縁による一般的なシステム天井に適用されるものではなく、このような一般的なシステム天井において、より簡易なリユース可能天井構造も望まれる。
【０００４】
この発明の目的は、簡単な構成で、解体が行い易く、かつ解体後のリユースが可能なシステム天井を提供することである。
【課題を解決するための手段】
【０００５】
この発明のシステム天井は、それぞれ吊りボルトに野縁受けを介して取付けられた複数本の平行な軽鉄製の野縁と、これらの野縁のうちのいずれか複数本の野縁にそれぞれ取付けられ、上部に前記野縁に取付ける野縁取付部を有し下部に野縁の両側方へ延びる天井材受け片を有する複数の天井受け金物と、互いに離れた野縁における野縁離れ方向に隣合う天井受け金物の前記天井材受け片に両端部が載置された天井材と、野縁の長さ方向の一部で前記天井材を前記野縁に固着した固着具とを備えることを特徴とする。
【０００６】
この構成によると、天井材は、野縁に取付けられた天井受け金物の天井材受け片に両端部が載置されて支持される。そして、野縁の長さ方向の一部で固着具によって前記天井材を前記野縁に固着するから、隣合う天井材間の段差やずれの是正がなされると共に、支持状態が安定化する。上記天井材受け片によって受けられるため、天井材の固着具による固着は、野縁の長さ方向の一部のみ、例えば天井材の両端のみで済む。そのため、ビス等の固着具の使用が大幅に削減され、解体後の天井材および野縁等のリユースが可能となる。また、吊りボルト、野縁受けおよび軽鉄製の野縁によるシステム天井の基本的な構成部分は、在来工法によって構築されるから、在来工法に上記各構成を付加するだけで、リユース可能なシステム天井が実現できる。
【０００７】
この発明において、前記野縁が上向きに開口するリップ溝形でかつ両側のリップ部の先端から立ち下がる一対の開口立下がり片を有する断面形状であり、前記天井受け金物は、前記野縁の側面に沿って配置されて野縁の長さ方向に見た形状がハット形となり、その横片部分が前記天井材受け片となるハット形部と、このハット形部の上方に続く前記野縁取付部とでなり、この野縁取付部は、前記ハット形部から上方に続く立ち片とこの立ち片の上端から一側方へ折れ曲がって延びて前記野縁の上面に載せられる水平取付片と、この水平取付片に対して別の部材として設けられて前記野縁の前記両リップ部の開口立下がり片に渡って下面に係合する係止片と、この係止片を前記水平取付片に取付ける係止片固定部材とでなるものとしても良い。
この構成によれば、天井受け金物の野縁取付部が、水平取付片と、係止片と、係止片固定部材とでなるから、天井受け金物の野縁に対する取付は、野縁の上面に載せられる水平取付片に、野縁の両リップ部の開口立下がり片に渡って下面に係合する係止片を、係止片固定部材で取付けることによってなされ、その野縁に対する取付は簡易かつ安定的になされる。また、この野縁取付部の下方に立ち片を介して続くハット形部の横片部分が天井材受け片となるから、この横片部分によって天井材をビス等を用いることなく支持させることができる。
【０００８】
この発明において、天井受け金物を、野縁の長さ方向に離れて設けられたものとし、天井材の縁部に沿って延びて隣合う天井材の縁部の下面を覆うカバー部およびこのカバー部から上方に延びて前記天井受け金物のハット形部の立て片部分間に差し込み状態に取付けられる差し込み片を有するジョイナーを設けても良い。
この構成によると、天井受け金物が、野縁の長さ方向に離れて設けられるから、天井受け金物が設けられない部分の隣合う野縁の縁部間に沿って隙間ができる。しかし、ジョイナーをその差し込み片によって天井受け金物のハット形部の立て片部分間に差し込むことによって、隣合う天井材の縁部の下面がカバー部により覆われて、上記隙間から天井裏等が見える懸念がなく、天井面の見栄えが良くなる。
【０００９】
この発明において、前記天井受け金物を、野縁の長さ方向に沿って設けられる形状の長尺物としても良い。天井受け金物を長尺物とした場合、天井材の縁部に連続して沿って天井受け金物が位置するため、天井受け金物が化粧となって見栄えが良く、化粧用のジョイナーを省略することができる。
【発明の効果】
【００１０】
この発明のシステム天井は、それぞれ吊りボルトに野縁受けを介して取付けられた複数本の平行な軽鉄製の野縁と、これらの野縁のうちのいずれか複数本の野縁にそれぞれ取付けられ、上部に前記野縁に取付ける野縁取付部を有し下部に野縁の両側方へ延びる天井材受け片を有する複数の天井受け金物と、互いに離れた野縁における野縁離れ方向に隣合う天井受け金物の前記天井材受け片に両端部が載置された天井材と、野縁の長さ方向の一部で前記天井材を前記野縁に固着した固着具とを備えたものとしたため、野縁受けおよび野縁によって構成される一般的なシステム天井において、現場施工が簡易で、解体も容易となり、また解体後のリユースも可能な天井構造を低コストで実現することが出来る。
【発明を実施するための最良の形態】
【００１１】
この発明の一実施形態を図１ないし図３と共に説明する。図１はこの実施形態のシステム天井の構造を示す部分破断縦断面図であり、図２は図１におけるII−II線部分破断矢視断面図、図３は図１におけるIII 線部の分解拡大断面図である。
図において、天井スラブまたは天井梁等の天井躯体１の下面から、複数本の吊りボルト２が垂下される。この吊りボルト２の下部から、ハンガー３が、上下のナット２ａによって挟み付け状態で上下位置調整自在に取付けられている。ハンガー３の下端には上向きフック状の受部３ａが屈曲形成され、リップ溝形の軽鉄等からなる野縁受け４が、この受部３ａに支持されて隣合うハンガー３間に水平に架設されている。野縁受け４の長手方向適所には、クリップ５を介して複数本の野縁６が平行に取付支持されている。これらによるシステム天井の基本構成は、在来工法によって構築される。
【００１２】
野縁６は、軽鉄製で上向きに開口するリップ溝形の部材であり、上向き開口部６ａの両側のリップ部６ｂの先端から立ち下がる一対の開口立下がり片６ｃを有する断面形状をなす。
クリップ５は、上端が側面形状かぎ形のフック部５ａと、このフック部５ａの立板部分の下部に切欠形成された正面形状逆Ｔ字形の係止部５ｂとを有する。このクリップ５は、上記係止部５ｂを野縁６の上向き開口部６ａより溝内に挿入し、係止部５ｂを野縁６の長手方向に直交するよう向きを変えて、この開口部６ａの両側の開口立下がり片６ｃに下から係止させ、かつフック部５ａを野縁受け４に掛止させることによって野縁６を水平状態に支持する。
【００１３】
上記複数本の野縁６のうち、何本かおきに、または各野縁６毎に、その野縁６の側面に沿って天井受け金物７が取付けられる。
天井受け金物７は、図３に拡大して示すように、野縁６の長さ方向に見た形状がハット形であり、その横片部分7 ａａが天井材受け片となるハット形部７ａと、このハット形部７ａの上方に続く野縁取付部７ｂとでなる。この野縁取付部７ｂは、前記ハット形部７ａから上方に続く立ち片７ｂａとこの立ち片７ｂａの上端から一側方へ折れ曲がって延びて野縁６の上面に載せられる水平取付片７ｂｂと、この水平取付片７ｂｂに対して別の部材として設けられて野縁６の前記両リップ部６ｂの開口立下がり片６ｃに渡って下面に係合する係止片７ｃと、この係止片７ｃを前記水平取付片７ｂｂに取付ける係止片固定部材７ｄとでなる。係止片固定部材７ｄは、係止片７ｃと水平取付片７ｂｂとにより、野縁６の両リップ部６ｂ及び開口立下がり片６ｃを上下より挟持するねじ部材であり、工具孔７ｄａに図示しない工具を差込んで回動操作することにより、その螺合締結がなされる。この天井受け金物７としては、野縁６の長さ方向に離れて設けられる形状の短尺物、あるいは野縁６の長さ方向に沿って設けられる形状の長尺物が用いられる。
なお、図３では、野縁６およびこれを支持するクリップ５等の図示を省略している。
【００１４】
この構成のシステム天井によると、野縁６に取付けられた天井受け金物７の天井材受け片7 ａａに、天井材８の両端部を載置することによって、天井材８が天井受け金物７に支持される。複数本の野縁６は、上記クリップ５によって野縁受け４に互いに平行に支持されるが、天井受け金物７が取付けられる離れ方向に隣合う野縁６同士の間隔は、天井材８の幅寸法に対応して設定される。これら天井受け金物７が取付けられる野縁６の間に、天井受け金物７が取付けられない野縁６が適宜配される。天井材８は、その野縁６の長さ方向に沿った両端部において、タッピングビス等からなる固着具９で野縁６に固着される。この場合に、天井受け金物７が取付けられていない野縁６に固着される。この固着によって、隣合う天井材８同士の段差やズレが是正される。このように、天井材８は、天井受け金物７を介して野縁６に支持されるから、段差やズレの是正のため以外にはビス止めを不要とし、したがって、解体が簡易で、野縁６や天井材８のリユースも可能となる。また、天井材８は天井受け金物７の天井材受け片7 ａａによって支持されるから、野縁６としてシングル材のみを用いることができ、従来のようにシングル材とダブル材を順番に施工する必要もない。天井材８としては、石膏ボードや他の種々の面材が用いられるが、図１に示すように、その裏面（天井裏側）に、必要によって天井補強桟８ａを設けたものとしても良い。
【００１５】
天井補強桟８ａは、天井材８の経年変化による反りの防止用であって、天井材８の裏面に、互いに間隔を開けて複数本（例えば２〜３本）平行に配置される。天井補強桟８ａには、軽鉄下地またはアルミ材などが用いられ、その断面形状は、溝形、リップ溝形、Ｌ字形、逆Ｔ字形などの各種の形状のものが使用できる。天井補強桟８ａの天井材８への接合は、両面粘着テープ等の接合テープ、または接着剤で行われる。
天井補強桟８ａを設けた場合、経年変化による反りが小さく、そのため建物移設時の天井のリユースが可能となる。また、石膏ボード等からなる天井材８の寸法を、例えば９１０mm角と大きくできて、コスト低減が図れると共に、意匠性にも優れたものとなる。
【００１６】
上記天井受け金物７は、逆Ｕ形のハット形部７ａを有しており、図示のものでは、このハット形部７ａの中空凹所７ａｂを利用してジョイナー１０を取付けた例を示している。このジョイナー１０は、合成樹脂の押出成形体からなり、上記中空凹所７ａｂの両側壁となる立て片部分７ａｃの間隔よりやや小さな厚みの差し込み片１０ａと、この差し込み片１０ａの下端部に連続して形成された断面形状が逆傘状のカバー部１０ｂとより構成される。差し込み片１０ａの両側面には、その長手方向に沿った２条の凹条１０ｃが形成されている。上記ハット形部７ａの立て片部分７ａｃの両内側面には、この凹条１０ｃに対応する２条の凸条７ａｄが形成されている。ジョイナー１０は、図３の矢印で示すように、差し込み片１０ａを立て片部分７ａｃ間にその下端開口部より差し込み、凹条１０ｃを凸条７ａｄに弾性係合させることによって取付られる。この取付は、矢印方向に沿ったワンタッチの圧入操作によってなされ、この差し込み取付状態においては、天井材８の縁部の下面、天井受け金物７の中空凹所７ａｂおよび天井材受け片7 ａａが、カバー部１０ｂによって覆われる。また、ジョイナー１０は、凹条１０ｃと凸条７ａｄとの弾性係合によって安定保持される。ジョイナー１０の取り外しは、その端部にドライバー等の工具を差し込むことによって簡易になし得る。
【００１７】
上記天井受け金物７が、野縁６の長さ方向に離れて設けられる形状の短尺物である場合は、天井受け金物７が設けられない部分の天井材８間の隙間から、天井裏や天井裏に設けられるグラスウール等の断熱材（図示せず）が透視・視認されることになるので、上記のようなジョイナー１０を設けることが望ましい。一方、天井受け金物７が、野縁６の長さ方向に沿って、例えば天井材８よりも長く設けられる形状の長尺物である場合は、天井受け金物７が化粧材として機能するため、化粧用のジョイナー１０の施工を省略することができる。これらは設計者や需要者の要望により適宜選択採用される。長尺物の場合は、ハット形部７ａをなくし、前記立ち片７ｂａを下方に延長し、その下端に天井材受け片7 ａａをフランジ状に形成したものや、その他の形状のものでも良い。
【００１８】
このように構成されるシステム天井は、上記とは逆の施工により、簡易に解体することができ、ジョイナー１０、天井材８、野縁６、さらにはこれらの支持具は、そのままりユースすることができる。
【００１９】
なお、上記実施形態の野縁受け４や野縁６の断面形状は、図示のものに限定されず、その他の形状が採用可能である。さらに、吊りボルト２に野縁受け４を介して野縁６を取付ける構造として、図１，図２においてハンガー３およびクリップ５を用いる例を示したが、これに限らず公知のシステム天井における取付構造を採用することができることは言うまでもない。さらに、天井受け金物７の野縁６に対する取付構造として、他の構造のものも用いることができる。加えて、ジョイナー１０としては、合成樹脂の押出成形体の他に、アルミニウム等の軽金属の押出材も用いることができる。
【図面の簡単な説明】
【００２０】
【図１】この発明の一実施形態に係るシステム天井の縦断面図である。
【図２】図１におけるII−II線部分破断矢視断面図である。
【図３】図１におけるIII 線部の拡大図であり、ジョイナーの取付ける要領を示している。
【符号の説明】
【００２１】
２…吊りボルト
４…野縁受け
６…野縁
７…天井受け金物
７ａ…ハット形部
７ａａ…天井受け片（横片部分）
７ａｃ…立て片部分
７ｂ…野縁取付部
７ｂａ…立ち片
７ｂｂ…水平取付片
７ｃ…係止片
７ｄ…係止片固定部材
８…天井材
９…タッピングビス（固着具）
１０…ジョイナー
１０ａ…差し込み片
１０ｂ…カバー部
【図１】
2008163635.tif 000003
【図２】
2008163635.tif 000004
【図３】
2008163635.tif 000005